(57)【要約】【課題】テレビ電話におけるプライバシーを保護するテレビ電話機能を提供する。【解決手段】本発明に係るテレビ電話を管理するサーバ装置は、接続要求元から接続を要求された接続要求先の実時間の画像を受信する受信手段と、接続要求先の実時間の画像を接続要求元に送信する前に、時間経過に伴って、実時間の画像に切り替わるように画像を処理する画像処理手段とを備える。【選択図】　図２
2004120412.tif 000002
【特許請求の範囲】
【請求項１】
接続要求元から接続を要求された接続要求先の実時間の画像を受信する受信手段と、
前記接続要求先の実時間の画像を接続要求元に送信する前に、時間経過に伴って、実時間の画像に切り替わるように画像を処理する画像処理手段とを備えるテレビ電話を管理するサーバ装置。
【請求項２】
前記接続要求先の交信可能な時間帯を格納する記憶手段と、
前記交信可能な時間帯以外の時間に接続要求があった場合に、前記画像処理手段により処理された画像を送信するように制御する制御手段とを更に備える請求項１に記載のテレビ電話を管理するサーバ装置。
【請求項３】
前記接続要求先が交信可能な時間帯を入力する入力手段とを更に備える請求項２に記載のテレビ電話を管理するサーバ装置。
【請求項４】
前記接続要求先が交信した交信時間帯を記録する記録手段と、前記記録手段に基づいて交信可能な時間帯を算出する算出手段とを更に備える請求項２に記載のテレビ電話を管理するサーバ装置。
【請求項５】
前記交信可能な時間帯以外の時間に接続要求があったと判定した場合に、前記制御手段は、所定の初期画像を送信し、時間経過に伴って、実時間の画像に切り替わるように処理した画像を送信する請求項２乃至４のいずれかに記載のテレビ電話を管理するサーバ装置。
【発明の詳細な説明】
【０００１】
【発明の属する技術分野】
本発明は、テレビ電話を管理するサーバに関する。
【０００２】
【従来の技術】
今日、携帯電話やテレビ電話が普及しつつあり、また固定電話においてもテレビ電話が設置されている。
【０００３】
このようなテレビ電話を利用したテレビ電話サービスにおいて、従来テレビ電話が画像および音声通信を着信した場合は、無条件で着信側の映像が相手テレビ電話に送信されることがあった。そのため、着信側のプライバシーを守ることができなかった。例えば、着信側にとって送信側が知り合いでない相手であっても、着信側の映像は送信されていた。
【０００４】
これに対して、テレビ電話に画像通信スイッチを設け、このスイッチを押下しないときには着信側の画像を送信しない技術が提案されている。
【０００５】
また、相手先の電話番号と登録した電話番号とを照合し、その番号が一致した場合に限り、画像および音声を通信可能とする技術も提案されている。
【０００６】
【特許文献１】
特開平２−１１３７６１号公報
【０００７】
【発明が解決しようとする課題】
このような従来のテレビ電話におけるプライバシー保護機能は、相手先が無条件で映像を送信してもよい相手である場合にも、わざわざ画像通信スイッチを押下しなければならない。そのため、テレビ電話の操作を煩わしくしていた。また、相手先の電話番号と登録電話番号とを照合する方式においては、電話番号を送信せずに電話をかけた場合には、送信画像が先に転送されることがある。そのため、十分なプライバシーの保護がなされていなかった。
【０００８】
本発明は、このような従来技術の問題に鑑みてなされたものである。すなわち、本発明が解決しようとする課題は、テレビ電話におけるプライバシーを保護するテレビ電話機能を提供することである。
【０００９】
【課題を解決するための手段】
本発明は、上記課題を解決するために以下の手段を採用した。
【００１０】
本発明に係るテレビ電話を管理するサーバ装置は、接続要求元から接続を要求された接続要求先の実時間の画像を受信する受信手段と、前記接続要求先の実時間の画像を接続要求元に送信する前に、時間経過に伴って、実時間の画像に切り替わるように画像を処理する画像処理手段とを備えることを特徴とする。
【００１１】
ここで、接続要求元とは、これから通話を行おうとするテレビ電話加入者のテレビ電話である。また、接続要求先とは、着信を受けたテレビ電話加入者、すなわち着信側のテレビ電話をいう。
【００１２】
また、実時間の画像とは、テレビ電話を介して送信される通信相手側の動画情報を意味する。また、この実時間の画像は、リアルタイムな画像とも呼ばれる。
【００１３】
このような構成にすると、時間の経過につれて着信側のリアルタイムな画像を相手テレビ電話に表示することがきる。そのため、ＴＶ電話におけるプライバシーの保護が確実になる。
【００１４】
さらに、通信時間の経過に伴い相手ＴＶ電話にリアルタイムな画像を表示させることで、従来のような画像切替スイッチを押下するといった煩わしい操作をさけることができる。
【００１５】
また、本発明に係るテレビ電話を管理するサーバ装置は、接続要求先の交信可能な時間帯を格納する記憶手段と、交信可能な時間帯以外の時間に接続要求があった場合に、画像処理手段により処理された画像を送信するように制御する制御手段とを備えてもよい。ここで、交信可能な時間帯とは、テレビ電話加入者がリアルタイムな画像を登録された通信相手に送信してもよいと考える時間である。
【００１６】
さらに、この交信可能な時間帯は、接続要求先が交信可能な時間帯を入力してもよい。
【００１７】
また、接続要求先が交信した交信時間帯を記録する手段を有してもよい。そして、交信可能な時間帯は、この記録手段に基づいて交信可能な時間帯を算出してもよい。
【００１８】
このような構成にすると、交信する時間帯に応じて画像を処理することができる。例えば深夜あるいは早朝など、テレビ電話加入者がリアルタイムな画像を表示させて相手と通話することを好ましく思わない時間帯には、処理画像を所定時間表示させる。そのため、プライバシー保護や交信不可な時間帯などのため、常に静止画像を相手ＴＶ電話に表示させるというようなことをしない。従って、通話相手に与える不快感を低減することができる。
【００１９】
本発明に係るテレビ電話を管理するサーバ装置は、交信可能な時間帯以外の時間に接続要求があった場合に、この制御手段は、所定の初期画像を送信し、時間経過に伴って、実時間の画像に切り替わるように処理した画像を送信してもよい。
【００２０】
また、本発明はコンピュータに以上のいずれかの機能を実現させるプログラムであってもよい。そのようなプログラムを読み取り可能な記憶媒体に記憶したものであってもよい。
【００２１】
【発明の実施の形態】
以下に図面を参照にして、本発明の好適な実施の形態を説明する。
＜好適な実施の形態＞
以下、図１から図８に基づいて本発明のＴＶ電話管理システムについて説明する。
【００２２】
図１はＴＶ電話管理システムの構成を示す図であり、図２はＴＶ電話管理システムの実施例を示す図であり、図３は図に示したＴＶ電話管理サーバ装置１が有するデータベースのデータ構造を示す図であり、図４はＴＶ電話サーバ装置１の処理を示すフローチャートであり、図５は図４に示した画像変換処理のフローチャートであり、図６は図５に示した画像加工処理のフローチャートであり、図７及び８は図６に示した画像加工処理の変形例のフローチャートである。
＜システム構成＞
図１を参照して、ＴＶ電話管理システムのシステム構成を説明する。
【００２３】
本システムは、ネットワーク３を介して接続されるＴＶ電話管理サーバ装置１と複数の加入者のＴＶ電話２から構成される。ここで、ネットワーク３は、例えばインターネット、ＩＳＤＮ回線や携帯電話網などであり、その種類を問わない。
【００２４】
このＴＶ電話管理サーバ装置１は、ＣＰＵ、メモリ、ハードディスク、通信基板等を備えるネットワーク３にアクセス可能なコンピュータである。このようなコンピュータのハードウェアの構成および作用は広く知られているので、その説明は省略する。
【００２５】
このＴＶ電話管理システムにおいて、通話の要求を受けたＴＶ電話加入者のＴＶ電話２は、音声情報と画像情報を、ネットワーク３を介して、ＴＶ電話管理サーバ装置１に送る。そして、ＴＶ電話管理サーバ装置１は、送信された画像情報に所定の処理を施し、通話を要求した相手側のＴＶ電話２に音声情報と画像情報を送信する。
【００２６】
次に、ＴＶ電話管理サーバ装置１における処理について、図２から図８を参照して説明する。
【００２７】
図２は、ＴＶ電話管理システムを使用した場合の画像送信者２１と受信側の表示画像２２〜２７とを示した図である。この画像送信者２１とは、他のＴＶ電話加入者から通話を要求されたＴＶ電話加入者であって、ＴＶ電話２の着信側の加入者である。そして、受信側とは、画像送信者２１の画像を受信する側であり、通話を要求した加入者側である。
【００２８】
まず、あるＴＶ電話加入者が、図２に示す画像送信者２１に通話を要求すると、画像送信者２１はテレビ電話を受信する。そして、画像送信者２１のＴＶ電話２は、リアルタイムな画像と音声をＴＶ電話管理サーバ装置１を介して、受信者側に送信する。すなわち、画像送信者２１側の画像や音声は、ネットワーク３を介し、ＴＶ電話管理サーバ装置１を経由して、通話を要求した加入者に送信される。
【００２９】
そして、通話を要求した加入者、つまり受信側のＴＶ電話２には、図２に示すような所定の初期画像２２、または２３が表示される。本実施の形態では、所定の初期画像として静止画像２２と似顔絵２３を示す。しかし、本発明の実施形態はこれらには限られない。例えば、初期設定としてキャラクタやイラストなどを画像送信者２１の選択により適宜設定するようにしてもよい。
【００３０】
そして、受信側のＴＶ電話２には、画像送信者２１つまりユーザが設定した画像（以下、ユーザ設定画像という）が表示される。例えば、初期画像を画像送信者２１の静止画表示とした場合、ユーザ設定画像は、人物画像をリアルタイムな画像のまま、背景をぼかした表示とすることができる。図２では、このような画像を背景のぼかし画像２４と呼ぶ。そして、この背景のぼかし画像２４は、時間の経過に伴い徐々にリアルタイムな画像２６に変化していくように表示することもできる。
【００３１】
また、初期画面を似顔絵表示２３とした場合、ユーザ設定画像は、似顔絵の動画２５を表示してもよい。そして、所定時間経過後にリアルタイムな画像２７に切り替わるように表示してもよい。
＜データ構造＞
ＴＶ電話管理サーバ装置１が有するデータベースのデータ構造を説明する。このデータベースの各レコードには、電話番号３１、交信可能開始時間３２、交信可能終了時間３３、画像種別３４、加工時間３５、画像番号３６に関する情報が格納される。図３に示す表の各行が１つのレコードに相当し、加入者１人に対するデータを保持する。
【００３２】
ここで、電話番号３１とは、交信可能時間を制限する相手ＴＶ電話２の電話番号である。例えば、電話番号０３−１２３４−５６７８を登録した場合、この登録番号の相手との交信可能な時間帯は制限される。この交信可能な時間帯とは、ＴＶ電話加入者の電話に着信があったとき、着信があったＴＶ電話加入者が相手側にリアルタイムな画像を表示させて、通話してもよい時間帯である。すなわちＴＶ電話加入者がリアルタイムな画像を表示させて相手と通話することを好ましく思わない時間帯を外した時間である。例えば、深夜あるいは早朝などを除く時間帯である。
【００３３】
また、電話番号を図３の最下段のように任意とすれば、登録されていない相手からの交信可能な時間帯を一律に制限することができる。
【００３４】
そして、交信可能開始時間３２は、ＴＶ電話２の相手との交信可能な時間の開始時刻である。一方、交信可能終了時間３３は、前記の交信可能な時間の終了時刻である。例えば、交信可能開始時間を０時とし、交信可能終了時間を２４時と設定した場合、実質的に交信可能時間の制限は行われない。
【００３５】
また、例えば交信可能開始時間を９時とし、交信可能終了時間を２２時と設定した場合には、９時から２２時までが交信可能な時間帯となる。この時間帯は、ＴＶ電話加入者がリアルタイムの画像を登録された通信相手に送信してもよい時間である。
【００３６】
一方、これ以外の時間帯、つまり朝９時まで、及び夜２２時以降は、交信不可な時間となる。この時間帯は、ＴＶ電話加入者がリアルタイムな画像を登録された相手側のＴＶ電話２に送信したくない時間である。すなわち、この時間において、本発明のＴＶ電話管理サーバ装置１は、加工された処理画像を登録された相手側のＴＶ電話２に送信する。
【００３７】
また、画像種別３４とは、相手側のＴＶ電話２に送信する加工画像の種別である。例えば、画像種別３４がリアルであれば、画像加工を行わないリアルタイムな画像を送信する。また、画像種別３４が人物・背景加工であれば、人物及び背景を時間の経過に伴って粒度を粗から密へと変化させる加工を施した画像を送信する。また、画像種別３４が人物加工であれば、背景画像はリアルタイムな画像のまま、人物の粒度を粗から密へと変化させていく加工を施した画像を送信する。さらに、画像種別３４が背景加工であれば、人物画像はリアルなまま、背景の粒度を粗から密へと変化させていく加工を施した画像を送信する。なお、ここでは図示しないが、図２に示すようなユーザ設定画像が似顔絵の場合には、この画像種別３４を似顔絵に設定する。
【００３８】
また、加工時間３５とは、画像加工を実行する時間である。すなわち、初期画像からリアルタイムな画像へ変化、あるいは切り替わるまでの時間を表す。なお、画像種別がリアルである場合には、画像加工を行わないため加工時間は無視される。例えば、この場合には、加工時間の欄を空欄にすればよい。
【００３９】
また、画像番号３６とは、相手側のＴＶ電話２に送信する加工画像の種類を表す番号である。例えば、図２に示すようなユーザ設定画像における粒度の粗さを表す番号とすることができる。また、ここでは図示しないが似顔絵の種類を表す番号としてもよい。
＜システムの処理フロー＞
図４は、ＴＶ電話管理サーバ装置１の処理を示すフローチャートである。
【００４０】
まず、ＴＶ電話管理サーバ装置１は、ネットワーク３を介して、受信者側のＴＶ電話２から通話相手側のＴＶ電話２への電話を受信する（Ｓ４０１）。
【００４１】
そして、ＴＶ電話管理サーバ装置１は、この受信者側のＴＶ電話２に関するデータベースから、登録された相手先の電話番号を抽出する（Ｓ４０２）。
【００４２】
そして、ＴＶ電話管理サーバ装置１は、受信側ＴＶ電話２と相手側ＴＶ電話２の通話の開始に伴って、通話時間を計時するタイマを起動する（Ｓ４０３）。この通話時間は、画像を経過時間に応じて変化させる際に参照される。
【００４３】
そして、ＴＶ電話管理サーバ装置１は、電話を掛けてきた相手のＴＶ電話２に、データベースの定義に基づいた初期画像を表示させる（Ｓ４０４）。例えば、ＴＶ電話管理サーバ装置１は、相手加入者の画像種別３４が静止画として登録されている場合には、図２に示す静止画２２を相手ＴＶ電話２に送信する。これにより、相手側のＴＶ電話２には、初期画像として静止画２２が表示される。
【００４４】
また、相手加入者の画像種別が似顔絵として登録されている場合には、ＴＶ電話管理サーバ装置１は、図２に示す似顔絵２３を相手テレビ電話に送信する。これにより、相手側のＴＶ電話２には初期画像として似顔絵が表示される。
【００４５】
そして、ＴＶ電話管理サーバ装置１は、画像変換処理を実行する（Ｓ４０５）。その後、ＴＶ電話管理サーバ装置１は処理を終了する。
【００４６】
これによってＴＶ電話管理サーバ装置１は、図２に示すようなユーザ設定の画像２４〜２７を相手側テレビ電話に表示させることができる。この相手側テレビ電話に画像２４〜２７を表示させるための画像変換処理については、以下でさらに詳しく説明する。
＜画像変換の処理フロー＞
次に図５を参照して前記画像変換処理について説明する。この処理は図４におけるＳ４０５の処理である。
【００４７】
まず、ＴＶ電話管理サーバ装置１は、ＴＶ電話管理サーバ装置１内のデータベースを読み込む（Ｓ５０１）。
【００４８】
そして、ＴＶ電話管理サーバ装置１は、データベースから読み込んだ情報に基づいて、現在の時刻が交信可能時間である否かを判定する（Ｓ５０２）。
【００４９】
ここで、ＴＶ電話管理サーバ装置１は、現在の時刻が交信可能時間でないと判定した場合には、画像加工処理を実施する（Ｓ５０３）。そして、ＴＶ電話管理サーバ装置１は、ここでの処理を終了する。
【００５０】
一方Ｓ５０２で、ＴＶ電話管理サーバ装置１は、現在の時刻が交信可能時間であると判定した場合には、リアル画像を表示（Ｓ５０４）して処理を終了する。
＜画像加工の処理フロー＞
図６を参照して、ＴＶ電話管理サーバ装置１の画像加工処理を説明する。この処理は図５におけるＳ５０３の処理である。
【００５１】
まず、ＴＶ電話管理サーバ装置１は、ＴＶ電話管理サーバ装置１内のデータベースを読み込む（Ｓ６０１）。
【００５２】
そして、ＴＶ電話管理サーバ装置１は、相手側のＴＶ電話２に送信するための交信画像を取り込む（Ｓ６０２）。この交信画像とは、ここでは加工を施す以前のリアルタイムな画像を意味する。
【００５３】
次に、ＴＶ電話管理サーバ装置１は、通話時間ｔが加工時間３５を経過したか否かを判定する（Ｓ６０３）。すなわち、ＴＶ電話管理サーバ装置１は、図４のＳ４０３の処理で起動させた通話時間タイマに基づいて、図２に示す受信者側の初期画像表示からユーザ設定画像に切り替えるか否かを決定する。ここでｔは図３に示すデータベース上に格納されている電話番号に対応する加工時間３５である。
【００５４】
ここで、ＴＶ電話管理サーバ装置１は、通話時間が加工時間３５を経過したと判定した場合、リアル画像を表示する（Ｓ６０４）。すなわち、ＴＶ電話管理サーバ装置１は、図２に示すユーザ設定画像２４，２５からリアルタイムな画像２６，２７へ切り替えて表示させる。そして、ＴＶ電話管理サーバ装置１は処理を終了する。
【００５５】
一方Ｓ６０３で、ＴＶ電話管理サーバ装置１は、通話時間ｔが加工時間３５を経過していないと判定した場合、画像加工を実施する（Ｓ６０５）。
【００５６】
そして、ＴＶ電話管理サーバ装置１は、相手ＴＶ電話２に加工された画像を送信して、加工画像を表示させる（Ｓ６０６）。
【００５７】
その後、ＴＶ電話管理サーバ装置１は、処理をＳ６０２に戻す。このように、ＴＶ電話管理サーバ装置１はＳ６０２，Ｓ６０３，Ｓ６０５，Ｓ６０６の処理を通話時間ｔが加工時間３５を超えるまで繰り返す。そして、ＴＶ電話管理サーバ装置１は、通話時間ｔが加工時間３５を経過した場合に、リアル画像を相手側ＴＶ電話２に送信する。そして、相手側ＴＶ電話２は、リアルタイムな画像を表示する。
【００５８】
このようにして、相手ＴＶ電話２は、ユーザ設定画像２４，２５からリアルタイム画像２６，２７に切り替わる。その後、ＴＶ電話管理サーバ装置１は処理を終了する。
＜画像加工処理の第１変形例＞
上述の実施形態における画像加工処理は以下のような変形例とすることができる。この変形例では、相手側ＴＶ電話２が表示する加工画像は、背景画像をリアルタイム画像のまま表示する。そして、人物画像の粒度が、通話時間の経過に伴い徐々に粗から密へと変化する。
【００５９】
図７を参照して、画像加工処理についての変形例を説明する。ただし、図７に示す画像加工処理において、図６に示した画像加工処理と同一な処理は、同一な符号を付して、説明を省略する。
【００６０】
Ｓ６０３において、ＴＶ電話管理サーバ装置１は、通話時間ｔが加工時間３５を経過していないと判定した場合、通話時間ｔに基づき画像加工時の粒度を決定する（Ｓ７０５）。
【００６１】
そして、ＴＶ電話管理サーバ装置１は、画像の認識パターンを抽出することにより人物画像のみを切り取る（Ｓ７０６）。例えば、画像送信者２１の人物画像を予め登録する。そして、その登録された人物画像に基づいて人物画像の寸法を決定し、人物画像の輪郭を切り取る。このようにして、画像の認識パターンを抽出することができる。
【００６２】
そして、ＴＶ電話管理サーバ装置１は、この切り取った人物画像を決定した粒度に従って加工する（Ｓ７０７）。
【００６３】
そして、ＴＶ電話管理サーバ装置１は、相手ＴＶ電話２に加工画像を送信して、加工画像を表示させる（Ｓ７０８）。その後、ＴＶ電話管理サーバ装置１は処理をＳ６０２に戻す。そして、ＴＶ電話管理サーバ装置１は、Ｓ６０２，Ｓ６０３，Ｓ７０５からＳ７０８の処理を通話時間ｔが加工時間３５を超えるまで繰り返す。
【００６４】
従って、Ｓ７０５において、通話時間ｔにより決定された画像加工時の粒度で加工された処理画像が相手側ＴＶ電話２に送信される。そして、上記処理が繰り返されるにつれて、通話時間ｔは増加する。通話時間ｔが増加すると決定される画像加工時の粒度は密になる。
【００６５】
このようにして、図２に示す受信者側のユーザ設定画面において、背景画像はリアルタイム画像のまま表示される。一方で画像送信者２１の人物画像は、粒度が粗い画像から徐々に粒度が密な画像に加工される。そして、画像送信者２１の人物画像は、リアルタイム画像へ切り替わる。なお、この切り替わりに要する時間は、データベース上に加工時間３５として設定される。
＜画像加工処理の第２変形例＞
上述の実施形態における画像加工処理は以下のような変形例とすることができる。この変形例では、相手側ＴＶ電話２が表示する加工画像は、人物画像をリアルタイム画像のまま表示する。そして、背景画像の粒度が、通話時間の経過に伴い徐々に粗から密へと変化する。
【００６６】
図８を参照して、画像加工処理についての変形例を説明する。ただし、図８に示す画像加工処理において、図６に示した画像加工処理と同一な処理は、同一な符号を付して、説明を省略する。
【００６７】
Ｓ６０３において、ＴＶ電話管理サーバ装置１は、通話時間ｔが加工時間３５を経過していないと判定した場合、通話時間ｔに基づき画像加工時の粒度を決定する（Ｓ８０５）。
【００６８】
そして、ＴＶ電話管理サーバ装置１は、画像の認識パターンを抽出することにより背景画像のみを切り取る（Ｓ８０６）。例えば、画像送信者２１の人物画像を予め登録する。そして、その登録された人物画像に基づいて人物画像の寸法を決定し、人物画像の輪郭を除く領域を背景画像とする。それから、この背景画像を切り取る。このようにして、画像の認識パターンを抽出することができる。
【００６９】
そして、ＴＶ電話管理サーバ装置１は、この切り取った背景画像を決定した粒度に従って加工する（Ｓ８０７）。
【００７０】
そして、ＴＶ電話管理サーバ装置１は、相手ＴＶ電話２に加工画像を送信して、加工画像を表示させる（Ｓ８０８）。その後、ＴＶ電話管理サーバ装置１は処理をＳ６０２に戻す。そして、ＴＶ電話管理サーバ装置１は、Ｓ６０２，Ｓ６０３，Ｓ８０５からＳ８０８の処理を通話時間ｔが加工時間３５を超えるまで繰り返す。
【００７１】
従って、Ｓ８０５において、通話時間ｔにより決定された画像加工時の粒度で加工された処理画像が相手側ＴＶ電話２に送信される。そして、上記処理が繰り返されるにつれて、通話時間ｔは増加する。通話時間ｔが増加すると決定される画像加工時の粒度は密になる。
【００７２】
このようにして、図２に示す受信者側のユーザ設定画面において、人物画像はリアルタイム画像のまま表示される。一方で画像送信者２１の背景画像は、粒度が粗い画像から徐々に粒度が密な画像に加工される。そして、画像送信者２１の背景画像は、リアルタイム画像へ切り替わる。なお、この切り替わりに要する時間は、データベース上に加工時間３５として設定される。
＜実施形態の効果＞
相手に時間の経過につれてリアルタイムな着信側の画像を相手ＴＶ電話２に表示することがきる。そのため、ＴＶ電話におけるプライバシーの保護がより確実になる。
【００７３】
また、通信時間の経過に伴い相手ＴＶ電話２にリアルタイムな画像を表示させることで、従来のような画像切替スイッチを押下するといった煩わしい操作をさけることができる。
【００７４】
また、プライバシーを保護するため、常に静止画像を相手ＴＶ電話２に表示させるというようなことをしない。そのため、通話相手に与える不快感を低減することができる。
【００７５】
さらに、通話時間の経過に伴ってリアルタイムな画像を送信するため、相手ＴＶ電話２に対して、送信画面を確認することで通話時間の把握をさせる。そのため無駄な通話時間の削減や通話料金の節約ができる。
＜コンピュータ読み取り可能な記憶媒体＞
上記実施の形態のいずれかの処理をコンピュータに実行させるプログラムをコンピュータが読み取り可能な記憶媒体に記録することができる。そして、コンピュータに、この記憶媒体のプログラムを読み込ませて実行させることにより、上記実施の形態に示したＴＶ電話管理システムを提供することができる。
【００７６】
ここで、コンピュータが読み取り可能な記憶媒体とは、データやプログラム等の情報を電気的、磁気的、光学的、機械的、または化学的作用によって蓄積し、コンピュータから読み取ることができる記憶媒体をいう。このような記憶媒体のうちコンピュータから取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。
【００７７】
また、コンピュータに固定された記録媒体として、ハードディスクやＲＯＭ（リード・オンリー・メモリ）等がある。
【００７８】
なお、上記実施の形態は本発明の範囲をなんら限定するものではなく、当業者が理解できる範囲において適宜、各種の変形の態様があり得る。
＜その他＞
さらに、本実施の形態は以下の発明を開示する。
【００７９】
（付記１）接続要求元から接続を要求された接続要求先の実時間の画像を受信する受信手段と、
前記接続要求先の実時間の画像を接続要求元に送信する前に、時間経過に伴って、実時間の画像に切り替わるように画像を処理する画像処理手段とを備えるテレビ電話を管理するサーバ装置。
【００８０】
（付記２）前記接続要求先の交信可能な時間帯を格納する記憶手段と、
前記交信可能な時間帯以外の時間に接続要求があった場合に、前記画像処理手段により処理された画像を送信するように制御する制御手段とを更に備える付記１に記載のテレビ電話を管理するサーバ装置。
【００８１】
（付記３）前記接続要求先が交信可能な時間帯を入力する入力手段を更に備える付記２に記載のテレビ電話を管理するサーバ装置。
【００８２】
（付記４）前記接続要求先が交信した交信時間帯を記録する記録手段と、
前記記録手段に基づいて交信可能な時間帯を算出する算出手段とを更に備える付記２に記載のテレビ電話を管理するサーバ装置。
【００８３】
（付記５）前記交信可能な時間帯以外の時間に接続要求があったと判定した場合に、前記制御手段は、所定の初期画像を送信し、時間経過に伴って、実時間の画像に切り替わるように処理した画像を送信する付記２乃至４のいずれかに記載のテレビ電話を管理するサーバ装置。
【００８４】
（付記６）前記制御手段は、前記所定の初期画像を送信してから、実時間の画像に切り替わるまでの間、所定の処理画像を送信する付記５に記載のテレビ電話を管理するサーバ装置。
【００８５】
（付記７）前記所定の処理画像は、前記初期画面に対応する動画である付記６に記載のテレビ電話を管理するサーバ装置。
【００８６】
（付記８）前記所定の処理画像は、実時間の画像において、人物像の部分が不明瞭な画像から時間の経過に伴って徐々に明瞭になる付記６に記載のテレビ電話を管理するサーバ装置。
【００８７】
（付記９）前記所定の処理画像は、実時間の画像において、背景の部分が不明瞭な画像から時間の経過に伴って徐々に明瞭になる付記６に記載のテレビ電話を管理するサーバ装置。
【００８８】
（付記１０）コンピュータによって実行されるプログラムであって、
接続要求元から接続を要求された接続要求先の実時間の画像を受信するステップと、
前記接続要求先の実時間の画像を接続要求元に送信する前に、時間経過に伴って、実時間の画像に切り替わるように画像を処理するステップとを実行させるテレビ電話管理プログラム。
【００８９】
（付記１１）複数のテレビ電話を管理するテレビ電話管理システムにおいて、接続要求元から接続を要求された接続要求先の実時間の画像を受信するステップと、
前記接続要求先の実時間の画像を接続要求元に送信する前に、時間経過に伴って、実時間の画像に切り替わるように画像を処理するステップとを備えるテレビ電話管理方法。
【００９０】
（付記１２）接続要求元から接続を要求された接続要求先の実時間の画像を受信する受信手段と、
前記接続要求先の実時間の画像を接続要求元に送信する前に、時間経過に伴って、実時間の画像に切り替わるように画像を処理する画像処理手段とをテレビ電話管理サーバ装置として機能させるためのプログラムを記憶したコンピュータが読取り可能な記録媒体。
【００９１】
【発明の効果】
以上で説明したように、本発明はテレビ電話におけるプライバシーを保護するテレビ電話機能を提供することができる。
【図面の簡単な説明】
【図１】ＴＶ電話管理システムの構成を示す図である。
【図２】ＴＶ電話管理システムの実施例を示す図である。
【図３】データベースのデータ構造を示す図である。
【図４】ＴＶ電話管理システムの処理を示すフローチャートである。
【図５】画像変換処理の手順を示すフローチャートである。
【図６】実施形態における画像処理加工の処理を示すフローチャートである。
【図７】第１変形例における画像処理加工の処理を示すフローチャートである。
【図８】第２変形例における画像処理加工の処理を示すフローチャートである。
【符号の説明】
１…ＴＶ電話管理サーバ装置
２…ＴＶ電話
３…ネットワーク
２１…画像受信者
２２〜２７…受信者側の表示画像
【図１】
2004120412.tif 000003
【図２】
2004120412.tif 000004
【図３】
2004120412.tif 000005
【図４】
2004120412.tif 000006
【図５】
2004120412.tif 000007
【図６】
2004120412.tif 000008
【図７】
2004120412.tif 000009
【図８】
2004120412.tif 000010